(57)【特許請求の範囲】
【請求項１】
蓋と、前記蓋を開閉するヒンジ部と、前記ヒンジ部の回転軸であるヒンジ軸と、前記ヒンジ軸に設けられたカムと、前記カムと接触し該カムとの接触配置により蓋の開閉の付勢状態を制御する板バネと、前記板バネが接触することで前記蓋の開閉状態を検知する開閉検知手段と、を備え、
前記カムは前記蓋の開閉に応じて回転する前記ヒンジ軸を回転軸とし、
前記板バネは前記カムとの接触配置に応じて変形し、且つ、
前記蓋が閉状態においては、前記板バネは前記カムの略平坦部と当接し、閉状態を保持し、該蓋が開状態においては、該板バネは該カムにより押圧されて変形し前記開閉状態検知手段に接触することで、開閉状態が検知されることを特徴とするボタン蓋機構。
【請求項２】
前記開閉検知手段が、電気信号入力を行う基板に前記板バネを接触させることによって電気的に開閉状態を検知するものである請求項１に記載のボタン蓋機構。
【発明の詳細な説明】
【０００１】
【発明の属する技術分野】
本発明は、撮影等のモードを切り替えるボタンとそのボタンを保護する蓋を備えたカメラに関し、特にそのモードボタン蓋のヒンジ機構に関する。
【０００２】
【従来の技術】
モード蓋を備えたカメラにおいて、蓋の開閉の付勢状態はスプリングの方式によって決まる。キックスプリングを用いれば、閉方向、開方向それぞれに付勢がかかり、ねじりスプリングを用いれば、主に閉方向のみに付勢がかけられる。また、モード蓋の開閉状態を電気的に検知するために、専用のスイッチ機構を用いていた。
【０００３】
図４は、一般的な従来例を示す図であり、モード蓋の付勢方式や開閉検知手段を示している。図において、図４（ａ）はモード蓋１３が閉の状態を示し、図４（ｂ）はモード蓋１３が開の状態を示す。モード蓋１３はモードボタン１２が貫通するように穴を設けられており、ヒンジ軸１６上のねじりスプリング１７により、閉方向に常に付勢されている。また、モード蓋１３の開閉を検知するために、開閉スイッチ２０が専用に設けられている。
【０００４】
【発明が解決しようとする課題】
このような従来技術において、開方向にも付勢を掛けるように仕様の変更等により付勢方法を変更するには、変更する部品の点数、修正個所が多くなり、スペースの確保、多部品の形状変更を必要とするという問題があった。また、組み込み工程が増えるという問題もあった。
【０００５】
さらに、操作感覚を伴う操作部品のため仕様の変更が要求され、付勢方法を変更するには、上記と同様の問題があった。
【０００６】
本発明の目的は、カメラのボタン蓋のヒンジ機構において、部品点数の削減が行え、スペースやコストダウンが図れ、組み込み性も向上し、またカムの形状を変更することにより、開閉の付勢方向、付勢力、電気的検出タイミングを容易に変更修正が可能となるモードボタン蓋機構を提供することにある。
【０００７】
【課題を解決するための手段】
前記目的を達成するために、本発明は、蓋と、前記蓋を開閉するヒンジ部と、前記ヒンジ部の回転軸であるヒンジ軸と、前記ヒンジ軸に設けられたカムと、前記カムと接触し該カムとの接触配置により蓋の開閉の付勢状態を制御する板バネと、前記板バネが接触することで前記蓋の開閉状態を検知する開閉検知手段と、を備え、  前記カムは前記蓋の開閉に応じて回転する前記ヒンジ軸を回転軸とし、前記板バネは前記カムとの接触配置に応じて変形し、且つ、前記蓋が閉状態においては、前記板バネは前記カムの略平坦部と当接し、閉状態を保持し、該蓋が開状態においては、該板バネは該カムにより押圧されて変形し前記開閉状態検知手段に接触することで、開閉状態が検知されることを特徴とするボタン蓋機構に関する。
また、前記開閉検知手段が、電気信号入力を行う基板に前記板バネを接触させることによって電気的に開閉状態を検知するものであるボタン蓋機構に関する。
【０００８】
また、上記ボタン蓋機構において、前記カムの形状と前記スプリングの形状と相互の位置を変更することにより、前記ボタン蓋の開閉における付勢力と前記開閉検知手段の入力タイミングを所望の条件に設定変更する。
【０００９】
上記構成によれば、ボタン蓋の開閉付勢力を、ボタン蓋に固定したカム状にヒンジ軸と、ヒンジ軸に接触する板バネにより構成し、板バネを電気的接片材とし、カムによる板バネの移動を利用し、電気信号入力を行う基板等に接触させることになり、同時にモード蓋の開閉状態を検出する事が出来る。
【００１０】
また、カムの形状を変更することにより、開閉の付勢方向、付勢力、電気的検出タイミングを容易に変更修正が可能となる。または、板バネの接触形状、板厚のみを変更しても同様な効果が得られる。
【００１１】
【発明の実施の形態】
以下、図面を参照して本発明の良好な実施形態を説明する。
図１は本発明のカメラを背面から見た外観図であり、図１（ａ）はモードボタン蓋が閉の状態を示し、図１（ｂ）はモードボタン蓋が開の状態を示す。図２は本発明のモードボタン蓋機構の側面断面図を示す。図において、１はカメラ、２は撮影モード設定ボタン、３はモードボタン蓋、４はヒンジ部、５はカム、６はカムヒンジ軸、７は板バネ、８は基板、９はバックカバー、１０はモード表示部である。
【００１２】
図２（ａ）はモードボタン蓋３が閉の状態を示し、モードボタン蓋３は、バックカバー９を介在してカムヒンジ軸６により回転可能状態で固定され、カム５に付勢を与えるように、板バネ７をバックカバー９に取り付けている。バックカバー９の前方に、撮影モード設定ボタン２の動作に対応してモードボタン蓋３の開閉を電気的に検出を行う基板８を配置する。板バネ７はカム５に対し閉方向に付勢するためモードボタン蓋３は閉状態に保持される。
【００１３】
図２（ｂ）はモードボタン蓋３が開の状態を示し、ヒンジ軸６は付勢を掛けられた状態からカムの山の始まり部を乗り越え板バネ７が基板８と接触し、電気的導通を行い、開状態を検知する。電気的検知は、カム山中央部の頂点手前で導通し、乗り越えた後も接触は離れない。また、カム山の終わり部を乗り越えた後は、板バネ７はカム５に対し矢印Ｂ方向に付勢するため、モードボタン蓋３は開方向に保持される。
【００１４】
図３は、カムの形状の変更により、付勢の方法が異なる実施例を示す。
図３（ａ）は、モードボタン蓋３が常に閉方向に付勢が掛かるカム５を示し、図３（ｂ）は、カム山５の頂点５ｂまでは閉方向で、頂点以降は開方向に付勢がかかる。図３（ｃ）はカム山の頂点５ｂまでは閉方向に付勢がかかり、頂点以降は付勢が解除され、モードボタン蓋３を自由な位置に止める事ができる構成を示す。
【００１５】
ここで、各状態での開閉検知はカム５の頂点全域に渡って接触し、カム５のそれ以降では導通状態を保っている。このように、開閉検知角は頂点の角度、接片の角度を所望の形状に設定することにより、自由に変更設定できる。
【００１６】
【発明の効果】
以上説明したように本発明は、部品点数の削減が行え、スペースやコストダウンが図れ、組み込み性も向上し、また、カムの形状を変更することにより、開閉の付勢方向、付勢力、電気的検出タイミングを容易に変更修正が可能となるカメラのボタン蓋ヒンジ機構を提供できる。
【図面の簡単な説明】
【図１】本発明のカメラを背面から見た外観図
【図２】本発明によるモードボタン蓋の開閉状態を示す断面図
【図３】本発明によるカム形状を変えた他の実施例の断面図
【図４】従来のモード蓋開閉状態を示す断面図
【符号の説明】
１  カメラ
２  モード設定ボタン
３  モードボタン蓋
４  ヒンジ部
５  カム
６  ヒンジ軸
７  板バネ
８  基板
９  バックカバー
【図１】
0003580692.tif 000002
【図２】
0003580692.tif 000003
【図３】
0003580692.tif 000004
【図４】
0003580692.tif 000005